(57)【要約】      （修正有）【課題】足にぴったりとくっ付けることにより、自然な歩行が出来、体を自在に動かせることが出来、履いたり、脱いだりが簡単に出来る、伸縮性のベルト付スリッパの提供。【解決手段】伸縮性のあるベルト６と７を踵の二点から立ちあげて上部８で一つにし、この８の外面と内面に合成皮革か、ビニールを縫い合わせる。上にのばした伸縮性のあるベルトの端９を輪にする。足のこうを被う２の足首よりの二点１０ａと１１ｂに縫い付けた伸縮性のあるベルト１０と１１をどちらも足首よりの端を輪にする。９と１０の輪の部分と１１の輪の部分に１２の足首に巻きつける伸縮性のあるベルトを通す。１２のベルトの両端の１２ａの内側と１２ｂに雌雄のマジックテープ（登録商標）を縫い付け、開閉が簡単に出来て足首にぴったしの長さに調節できる。【選択図】図２
0003122797.tif 000002
【実用新案登録請求の範囲】
【請求項１】
踵部分より立ち上がった伸縮性のあるベルトの端の輪と足の、こう被二点から伸びた伸縮性のあるベルトの端に、それぞれ、別の伸縮性のあるベルトを通し、足首に、ぴったりと巻きつけるようにしたベルト付スリッパ。
【請求項２】
請求項１に記載の足首に巻きつけるようにした、伸縮性のあるベルトの両端に雌雄のマジックテープを付けて、開閉が出来て、長さの調節も出来、足首にぴったりと巻きつけられるようにしたベルト付スリッパ。
【請求項３】
請求項１と請求項２に記載のスリッパのベルト部分を着脱式とした場合の、こう被へ止める止め金具と、スリッパの踵部分にベルトを通す紐状のものを取り付けたベルト付スリッパ。
【考案の詳細な説明】
【技術分野】
【０００１】  この考案は、スリッパを履いた時、無理のない自然な歩行が出来るように足とスリッパの形態上の一体化に近かずけることを目的としたものである。
【背景技術】
【０００２】  履物の底、土ふまず部分に垂下ベルトを通し、それを足首に巻いたベルトで支えたもの（例えば、実開文献１参照）
【実開文献１】
実開昭５２−３８６３広報（第１図および第２図）
【考案の開示】
【考案が解決しようとする課題】
【０００３】  スリッパを履くと自然な歩行が妨げられる。特に高齢者、障害者、病人等、脚力の弱い人達にとって負担となり、また、機敏な動作が行えない。そして、歩くと音や埃をたてたりする。上記のような問題点をなくす為にスリッパが、足に、ぴったりとくっつくようにする事を目的としたものである。【０００４】  本考案は土ふまずのないスリッパに適用でき、そして、履いたり脱いだりが、すばやく簡単に行えるように考えたものである。
【課題を解決するための手段】
【０００５】  この考案のスリッパは、足首に巻きつけた伸縮性のあるゴム等を使用したベルトに、前面の足のこう被部分より二ヵ所、後の踵部分より一ヵ所、同じく伸縮性のあるゴム等のベルトをかけてスリッパが足から離れないように考えたものである。また、足首に巻きつけた伸縮性のあるゴム等のベルトは開閉が、容易く出来て足首周りの寸法に調節できるように、足の踝あたりに、マジックテープをつけた開閉部分を設ける。
【考案の効果】
【０００６】  この考案のスリッパは歩行の時、足の踵とスリッパが離れて歩きにくく、不自然な歩行となるのを防止することが出来る。そして、機敏に体を動かすことができる。そのことは足や腰に負担をかけないし、つまずきや転倒を防ぐ事にもつながる。特に階段等の登り降りが楽に出来る。自然な身のこなしが行えて、身体的にも、精神的にもストレスの軽減にもなり、リラックスした気分で歩くことが出来る。
【考案を実施する為の最良の形態】
【実施例１】
【０００７】  図１はこの考案のー実施の形態を示すベルト付スリッパの平面図である。図２は図１に示すベルト付スリッパの斜視図である。伸縮性のあるベルト６と７を踵の二点から立ちあげて上部８で一つにし、この８の外面と内面に合成皮革か、ビニールをぬいあわせる。上にのばした伸縮性のあるベルトの端９を輪にする。【０００８】  足のこうを被う２の足首よりの二点１０ａと１１ｂに縫い付けた伸縮性のあるベルト１０と１１をどちらも足首よりの端を輪にする。９と１０の輪の部分と１１の輪の部分に１２の足首に巻きつける伸縮性のあるベルトを通す。図３に示すように１２のベルトの両端の１２ａの内側と１２ｂに雌雄のマジックテープを縫い付け、開閉が簡単に出来て足首にぴったしの長さに調節できるのが、本考案の特徴である。足とスリッパの一体化にちかずける事がこの考案の目ざしたものである。
【実施例２】
【０００９】  図４と図５と図６はベルト付スリッパのベルト部分を着脱式とした物の図であるが、図４の１５と１６は従来からあるズボンつりのズボンを吊るところの止め金具１５と１６を使用し、伸縮性のあるベルト１０と１１に接続したものである。１５と１６の止め金具でベルト付スリッパのこう被２を挟む。そして、５図に示すように踵部分の側面に取り付けた１３（布かビニールの紐状のものの両端を踵部分の側面に縫い付けたもの）の輪に６のベルトの端を１３に７のベルトの端を１４に通す。７ａと７ｂ、６ａと６ｂには、それぞれ雌雄のマジックテープをぬいつける。１３と１４の輪にとおした後マジックテープで止める。【００１０】  ６図は６と７の伸縮性のあるベルトを通す輪の平面図である。
【図面の簡単な説明】
【００１１】
【図１】  この考案の実施の形態１を示すベルト付スリッパの平面図である。
【図２】  この考案の実施の形態１を示すベルト付スリッパの斜視図である。
【図３】  この考案の実施の形態１のベルト付スリッパの足首のベルト部分の斜視図である。。
【図４】  この考案の実施の形態２のベルトを着脱式とした場合のベルトの斜視図である。。
【図５】  この考案の実施の形態２のベルトを着脱式とした場合のスリッパの踵部分の斜視図である。。
【図６】  この考案の実施の形態２のベルトを着脱式とした場合のスリッパの踵部分の平面図である。。
【符号の説明】
【００１２】    １  スリッパ本体、２  こう被、３  敷の下部分、４  敷の中間部分、５  １の側面、６と７と８と９  踵より立ちあがったベルト、１０と１１  こう被に取り付けたベルト、１２  足首に巻きつけるベルト、１３と１４  踵部分に取り付けた紐状のもの、１５と１６  ズボン吊り用の止め金具、
【図１】
0003122797.tif 000003
【図２】
0003122797.tif 000004
【図３】
0003122797.tif 000005
【図４】
0003122797.tif 000006
【図５】
0003122797.tif 000007
【図６】
0003122797.tif 000008
【手続補正書】
【提出日】平成18年3月2日(2006.3.2)
【手続補正１】
【補正対象書類名】実用新案登録請求の範囲
【補正対象項目名】全文
【補正方法】変更
【補正の内容】
【実用新案登録請求の範囲】
【請求項１】
踵部分より立ち上り上端に通し輪を有する踵ベルトと、甲被に各々の一端を固着して他端に通し輪を有する２本の甲被ベルトと、上記３つの通し輪をくぐり足首に巻きつける足首ベルトとを備えたことを特徴とするベルト付スリッパ。
【請求項２】
足首ベルトの両端に面ファスナを設けて、開閉が出来て長さ調節可能としたことを特徴とする請求項１記載のベルト付スリッパ。
【請求項３】
踵ベルト下端とスリッパ後端、および甲被ベルトの前端と甲被を係脱自在としたことを特徴とする請求項１または２記載のベルト付スリッパ。
【手続補正２】
【補正対象書類名】明細書
【補正対象項目名】全文
【補正方法】変更
【補正の内容】
【考案の詳細な説明】
【技術分野】
【０００１】  この考案は、スリッパを履いた時、無理のない自然な歩行が出来るように足とスリッパの形態上の一体化に近づけることを目的としたものである。
【背景技術】
【０００２】  履物の底、土ふまず部分に垂下ベルトを通し、それを足首に巻いたベルトで支えたものがある。（例えば、特許文献１参照）
【特許文献１】  実開昭５２−３８６３公報（第１図および第２図）
【考案の開示】
【考案が解決しようとする課題】
【０００３】  スリッパを履くと自然な歩行が妨げられる。特に高齢者、障害者、病人等、脚力の弱い人達にとって負担となり、また、機敏な動作が行えない。そして、歩くと音や埃をたてたりする。上記のような問題点をなくす為に、スリッパが足にぴったりとくっつくようにする事を目的としたものである。【０００４】  本考案は土ふまずのないスリッパに適用でき、そして、履いたり脱いだりが、すばやく簡単に行えるように考えたものである。
【問題を解決する為の手段】
【０００５】  上記課題を解決するためにスリッパを足首に保持させるベルトを設けた。ベルトはスリッパの踵部分より立ち上り上端に通し輪を有する踵ベルトと、甲被に各々の一端を固着して他端に通し輪を有する２本の甲被ベルトと、上記３つの通し輪をくぐり足首に巻きつける足首ベルトから構成される。
【０００６】  足首ベルトは両端に面ファスナを付けて、開閉が出来て長さ調節可能とし、足首の大きさに合わせられるようにした。
【０００７】  また、踵ベルト下端とスリッパ後端、および甲被ベルトの前端と甲被を係脱自在として、ベルトをスリッパにつけはずしできるようにした。
【考案の効果】
【０００８】  この考案のスリッパは歩行の時、足の踵とスリッパが離れて歩きにくく、不自然な歩行となるのを防止することが出来る。そして、機敏に体を動かすことができる。そのことは足や腰に負担をかけないし、つまづきや転倒を防ぐ事にもつながる。特に階段の上り下りが楽に出来る。自然な身のこなしが行えて、身体的にも精神的にもストレスの軽減になり、リラックスした気分で歩くことが出来る。
【考案を実施する為の最良の形態】
【実施例１】
【０００９】  図１はこの考案の第１実施例を示すベルト付スリッパの平面図である。図２は図１に示すベルト付スリッパの斜視図である。図において、１はスリッパ本体、２は甲被、３はスリッパ底、４は中敷、５はスリッパ本体の側面である。６，７は伸縮性のある踵ベルトである。この踵ベルト６，７は一端が踵の後部に固着され、他端は踵の後部側面２箇所より立ち上げて踵ベルト合体部８で一つにし、この踵ベルト合体部８の外面と内面に合成皮革か、ビニールを縫い合わせる。そして、上記踵ベルト６又は踵ベルト７のいずれか一方を上にのばして輪にし踵ベルト通し輪９としている。【００１０】  足の甲被２の足首寄りの二箇所１０ａと１１ｂの内側に、伸縮性のある甲被ベルト１０と甲被ベルト１１を固着し、それぞれの他端を通し輪にする。踵ベルト通し輪９と甲被ベルト１０と甲被ベルト１１の各々の通し輪に伸縮性のある足首ベルト１２を通す。図３に示すように足首ベルト１２の一端１２ａの内側と他端１２ｂに雌雄の面ファスナを縫い付ける。
この考案のベルト付スリッパは足首ベルトの両端に雌雄の面ファスナを設けたので足首ベルト１２を足首に巻きつけた時、開閉が簡単に出来て足首にぴったりの長さに調節できる。すなわち、足とスリッパの一体化に近づけることが出来る。
【実施例２】
【００１１】  図４、図５、図６はベルト付スリッパのベルト部分を係脱自在とした第２実施例である。図４に示す留め金具１５と留め金具１６は、従来からあるズボンつりのズボンを吊るところの留め金具を使用し、甲被ベルト１０と甲被ベルト１１に接続したものである。この留め金具１５と留め金具１６でベルト付スリッパの甲被２を挟む。（図示せず）そして、図５に示すように、踵部分の側面に取り付けた踵側面通し輪１３（布か、ビニールの紐状のものの両端を踵部分の側面に縫い付けたもの）に踵ベルト６の端を、また、踵ベルト７の端を踵側面通し輪１４に通す。図４に示すように、踵ベルト７の折り返し部７ａと、折り返し部７ａに相対する折り返し部７ｂ、踵ベルト６の折り返し部６ａと、折り返し部６ａに相対する折り返し部６ｂには、それぞれ、雌雄の面ファスナを縫い付ける。そして、折り返し部６ａを
踵側面通し輪１３に通し、折り返し部７ａを踵側面通し輪１４に通した後、面ファスナでとめる。【００１２】  図６は踵側面通し輪の取り付け部を示す平面図である。
【図面の簡単な説明】
【００１３】
【図１】  この考案の第１実施例を示すベルト付スリッパの平面図である。
【図２】  この考案の第１実施例を示すベルト付スリッパの斜視図である。
【図３】  この考案の第１実施例のベルト付スリッパの足首のベルト部分の斜視図である。
【図４】  この考案の第２実施例のベルトを係脱自在としたベルト部分の斜視図である。
【図５】  この考案の第２実施例のベルトを係脱自在としたスリッパの踵部分の斜視図である。
【図６】  この考案の第２実施例のベルトを係脱自在としたスリッパの踵部分の平面図である。
【符号の説明】
【００１４】１  スリッパ本体
２  甲被
３  スリッパ底
４  中敷
５  スリッパ本体の側面
６、７  踵ベルト
８  踵ベルト合体部
９  踵ベルト通し輪
１０、１１  甲被ベルト
１２、足首ベルト
１３、１４  踵側面通し輪
１５、１６  留め金具